(57)【要約】      （修正有）【課題】新聞の廻し読みで折り目がずれて不揃いになるのを阻止し、閲覧し易く、体裁よく整理保管することができる、伸縮自在な新聞綴じ具を提供する。【解決手段】入れ子式大径保持カバー１の内側に入れ子式小径保持カバー１１を挿入し、小径保持カバー１１の内部に新聞を支える支杆２２が設けられた支持台２３を挿入し、当該支持台２３を大径保持カバー１の後端側内周壁１０に固着し、小径保持カバー１１の底辺部１４ａに挟持片１８ａを形成し、大径保持カバー１の内周壁８の先端側と小径保持カバー１１の外周壁２０の後端側とに段差状の隆起部２１を設けたことを特徴とする。【選択図】図７
0003184548.tif 000002
【実用新案登録請求の範囲】
【請求項１】
新聞を支える支持部材を把持部材に固着した新聞綴じ具において、新聞を保持する入れ子式の大径保持カバーの内側に入れ子式の小径保持カバーを備え、小径保持カバーの外周壁後端側に隆起部を設け、大径保持カバーの内周壁先端側に隆起部を設け、小径保持カバーの底辺部に挟持片を形成したことを特徴とする新聞綴じ具。
【考案の詳細な説明】
【技術分野】
【０００１】  本考案は、新聞を二つ折り又は四つ折りの状態であっても、新聞綴じ具を伸長又は縮小することで、新聞を読み易くした新聞綴じ具に関する。
【背景技術】
【０００２】  一般的に、新聞は会社内又は家庭内で廻し読みされている。したがって、新聞の折り目がずれて不揃いになり、新聞の折り目がばらばらになるので体裁よく整理、保管することができなかった。【０００３】  例えば、新聞の折り目がずれないように綴じ合せるものとして、２個の断面略Ｕ字状のクリップ式綴じ具を使って、連結状態及び分離状態で新聞などを綴じ込むことができるものが提案されていた（例えば、特許文献１参照）。【０００４】  また、伸縮可能な指示棒の外周壁面に新聞を挟めるクリップを設け、そのクリップを新聞の折り目の上下に取り付けて使用するものが提案されていた（例えば、特許文献２参照）。【０００５】  さらに、新聞を綴じ込む把持部材の後端部に、新聞を支える棒状の支持部材を設け、新聞が四つ折りの状態で綴じられるものが提案されていた（例えば、特許文献３参照）。
【先行技術文献】
【特許文献】
【０００６】
【特許文献１】特許第４９３７３２８号公報
【特許文献２】特開２０００−１１８１８３公報
【特許文献３】登録実用新案第３１６７０７８号公報
【考案の概要】
【考案が解決しようとする課題】
【０００７】  従来、新聞を閲覧する際は、新聞を二つ折りの状態で閲覧することが多く、読み終えた後は、四つ折りに折り畳んだ状態で放置することが多い。【０００８】  例えば、２個のクリップ式綴じ具は、連結状態及び分離状態で綴じ込むことができるが、クリップの弾力性が弱いとずれ落ちる心配があった。【０００９】  また、入れ子式の新聞用ボルダーの両端部にクリップが設けられたものは、新聞の折り目にクリップを差し込み挟持するため、このクリップを新聞の折り目に取り付けた状態では、新聞を四つ折りの状態に折り畳むことができない問題があった。【００１０】  さらに、新聞を綴じ込み保持する把持部材に、新聞を支える支持部材を設けたものは、新聞の折り目の上方が多少不揃いになる問題があった。【００１１】  本考案に係る新聞綴じ具は、新聞を二つ折り又は四つ折りの状態で閲覧する場合、新聞の折り目がずれて不揃いになるのを防ぎ、体裁よく整理又は保管することができる、伸縮自在な新聞綴じ具の提供を目的とする。
【課題を解決するための手段】
【００１２】  上記目的を達成するため、本考案は、入れ子式大径保持カバーの内側に入れ子式小径保持カバーを挿入し、小径保持カバーの内部に新聞を支える支杆を挿入し、当該支杆を設けた支持台を大径保持カバーの内周壁後端側に固着した、ことを特徴とする伸縮自在な新聞綴じ具であって、以下に、課題を達成するための技術的手段を説明する。【００１３】  上記入れ子式の大径保持カバーは、弾性材料で横長の平板を成形し、当該平板の中央部分に長手方向の上辺部を設け、当該上辺部の両側辺が左右対称に対向する状態に折り曲げてスロープ状の大径保持片を形成し、さらに、当該大径保持片の下側辺を断面略直角状に折り曲げ底辺部を形成する。【００１４】  さらに、前記底辺部の後端から間隔を置いて、当該底辺部の中央部分に略コの字状に切截された状態の綴じ口を形成し、当該綴じ口の先端に大径保持片と底辺部とで囲まれた開口部を設け、前記底辺部の後端には大径保持片で囲まれた開口部を設け、前記大径保持片の内周壁先端側に段差状の隆起部を形設して、入れ子式の大径保持カバーが形成される。【００１５】  上記入れ子式の大径保持片の内側に挿入する入れ子式小径保持カバーは、弾性材料で横長の平板を成形し、当該平板の中央部分に長手方向に上辺部を設け、当該上辺部の両側辺が対向する状態に折り曲げられたスロープ状の小径保持片を形成し、当該小径保持片の下側辺を断面略直角状に折り曲げ底辺部を形成する。【００１６】  さらに、上記底辺部の中程から後端に向って長方状の綴じ口を形成する。なお、当該綴じ口の先端には小径保持片と底辺部とで囲まれた状態の差込み口を形成し、前記綴じ口の後端に小径保持片と底辺部とで囲まれた状態の開口部を設け、前記底辺部の差込み口近傍に底辺部から突出形成された挟持片を設け、当該挟持片で狭くなった細い溝を底辺部の中央部分に設け、小径保持片の外周壁後端側に段差状の隆起部を形設し、入れ子式の小径保持カバーが形成される。【００１７】  なお、新聞を支える棒状の支杆を形成し、当該支杆は小径保持片と略同一形状に成形された支持台の中心部分に設ける。【００１８】  本考案に係る入れ子式大径保持カバーには、大径保持片の内周壁先端側に形設された段差状の隆起部と入れ子式小径保持カバーを構成する小径保持片の外周壁後端側に形設した段差状の隆起部を設け、大径保持カバーの内側に伸縮自在の小径保持カバーを挿入し、新聞を支える支扞が設けられた支持台を大径保持片と底辺部とで囲まれた状態の後端側内周壁に固着することを特徴とする。
【考案の効果】
【００１９】  以上の説明から明らかなように、本考案にあっては次のような効果が得られる。
大径保持片の内周壁先端側に形設した隆起部と小径保持片の外周壁後端側に形設した隆起部とが相互に連結するため、内側保持片を引き延ばしても抜け落ちない。また、大径保持片の内周壁後端側に支持台が固着されているため、小径保持片は支持台で受け止められるので、大径保持片から抜け落ちることがない。したがって、大径保持カバーの内側において小径保持カバーを自在に伸縮させることできる。【００２０】  したがって、棒状の支杆で新聞の折り目を支え、小径保持片を伸長させて小径保持カバーと大径保持カバーとに設けた綴じ口で保持されるため、新聞を二つ折り又は四つ折りの状態で閲覧し、縮小した状態で体裁よく整理又は保管をすることができる。【００２１】  また、小径保持カバーを引き延ばすと、新聞は大径保持カバーと小径保持カバーとに設けられた底辺部の細い溝で挟まれた状態で、新聞は挟持片で保持されるので、新聞の折り目が不揃いになるのを阻止することができる。
【図面の簡単な説明】
【００２２】
【図１】本考案の伸縮自在な小径保持カバーを最大に伸長した状態を示す正面図。
【図２】本考案の小径保持カバーを最小に縮めた状態を示す正面図。
【図３】伸縮自在な小径保持カバーを最大に伸長させた状態を示す平面図。
【図４】図１、図２で示した状態の左側面図。
【図５】図１、図２で示した状態の右側面図。
【図６】図３に示す小径保持カバーを最大に伸長させた状態を示す底面図。
【図７】図１に示す伸縮自在な小径保持カバーを最大に伸長した状態を示す断面図。
【考案を実施するための形態】
【００２３】  本考案は、入れ子式の大径保持カバーと、その内側に入れる入れ子式の小径保持カバーとに相互連結手段を設けたことを特徴とする伸縮自在な新聞保持具であって、以下に、実施形態を示す図面に基づいて説明する。
【００２４】  図１、図４及び図５において、入れ子式の大径保持カバー１は、新聞を四つ折りした縦辺よりも短く、弾性材料で横長の平板を成形し、当該平板の長手方向の中央部分に上辺部２を設け、当該上辺部２の両側辺を下向きに折り曲げて対向するスロープ状の大径保持片３、３ａを形成し、当該大径保持片３、３ａの下側辺を断面略直角状に折り曲げて底辺部４、４ａを形成する。
【００２５】  図６及び図７において、前記底辺部４、４ａの長手方向の中央部分に、上記大径保持片３、３ａの後端から長手方向に間隔を置いて略コの字状に切截された状態の綴じ口５を形成し、当該綴じ口５の先端に大径保持片３、３ａと底辺部４、４ａとで囲まれた状態の開口部６を設け、また、前記綴じ口５の後端に大径保持片３、３ａと底辺部４、４ａとで囲まれた状態の開口部７を設け、さらに、大径保持片３、３ａの内周壁８の先端側に段差状の隆起部９を形設する。
【００２６】  図４及び図７において、大径保持カバー１の内側に挿入する小径保持カバー１１は、弾性材料で横長の平板を成形し、当該平板の長手方向の中央部分に上辺部１２を設け、当該上辺部１２の両側辺が左右対称に対向する状態に折り曲げられたスロープ状の小径保持片１３、１３ａを形成し、当該小径保持片１３、１３ａの下側辺を断面略直角状に折り曲げ底辺部１４、１４ａを形成する。
【００２７】  さらに、上記底辺部１４、１４ａの中程から後端に向って長方状の綴じ口１５を形成し、当該綴じ口１５の先端には小径保持片１３、１３ａと底辺部１４、１４ａとで囲まれた状態の差込み口１６を形成し、前記綴じ口１５の後端に小径保持片１３、１３ａと底辺部１４、１４ａとで囲まれた状態の開口部１７を設ける。
【００２８】  図４及び図６において、上記小径保持片１３、１３ａの下側辺が曲折形成された底辺部１４、１４ａの差込み口１５近傍に、底辺部１４、１４ａから突出形成された挟持片１８、１８ａを設け、当該挟持片１８、１８ａで狭くなった細い溝１９を底辺部１４、１４ａの中央部分に設ける。
【００２９】  図７において、小径保持片１３、１３ａの外周壁２０の後端側に段差状の隆起部２１を形設することによって、前記隆起部２１と大径保持片３、３ａの内周壁８の先端側に形設された隆起部９とが相互に連結する相互連結手段を備えた、入れ子式小径保持カバーが形成される。
【００３０】  なお、図７において、新聞を支える棒状の支杆２２を形成し、当該支杆２２は小径保持片１３、１３ａと略同一形状に成形された支持台２３の中心部分に設ける。
【００３１】  上記した構成において、入れ子式の大径保持カバー１の内側に、小径保持カバー１１の先端を大径保持片３、３ａ後端の開口部７から挿入し、小径保持片１３、１３ａの内部に、新聞を支える支杆２２を設けた支持台２３を挿入し、当該支持台２３の外周面を大径保持片３、３ａと底辺部４、４ａとで囲まれた後端側内周壁１０に固着する。
【００３２】  図２において、入れ子式の小径保持カバー１１を縮小した状態にすると、大径保持カバー１の後端側内周壁１０に固着された支持台２３の支杆２２が開口部６の先端から突き出た状態になる。前記支杆２２を新聞の折り目に差し入れ、大径保持カバー１を新聞の折り目に沿って押し上げ、さらに、小径保持カバー１１を新聞の折り目に沿って伸長させると、新聞の折り目は  大径保持カバー１と小径保持カバー１１とに設けた綴じ口５、１５で保持される。
【００３３】  したがって、小径保持カバー１１の底辺部１４、１４ａに設けた細い溝１９に差し込まれる新聞の折り目の部分は挟持片１８、１８ａで保持されるため、新聞の折り目が不揃いになることを阻止することができる。
【符号の説明】
【００３４】          １  大径保持カバー
２  上辺部
３、３ａ  大径保持片
４、４ａ  底辺部
５  綴じ口
６  開口部
７  開口部
８  内周壁
９  隆起部
１０  後端側内周壁
１１  小径保持カバー
１２  上辺部
１３、１３ａ  小径保持片
１４、１４ａ  底辺部
１５  綴じ口
１６  差込み口
１７  開口部
１８、１８ａ  挟持片
１９  細い溝
２０  外周壁
２１  隆起部
２２  支杆
２３  支持台
【図１】
0003184548.tif 000003
【図２】
0003184548.tif 000004
【図３】
0003184548.tif 000005
【図４】
0003184548.tif 000006
【図５】
0003184548.tif 000007
【図６】
0003184548.tif 000008
【図７】
0003184548.tif 000009